(57)【要約】      （修正有）【課題】汎用ネットワークを介してスイッチ装置による全体制御を可能とし、さらにシステム内で発生した異状状態を確実に表示することができる照明制御システムを提供することを目的とする。【解決手段】所定の通信プロトコルに基づいてデータ伝送を行う汎用ネットワーク２を介して中央監視装置３に接続される複数の照明コントローラ５a、５bと；前記複数の照明コントローラ５a、５bに伝送線６を介して接続される制御端末器７a、７bと；前記汎用ネットワーク２を介して、複数の照明コントローラ５a、５bに対してそれぞれの照明コントローラ５a、５bに接続された制御端末器７a、７bを同時に制御する信号を送信するとともに、複数の照明コントローラ５a、５bから監視情報データを受信するスイッチ装置４と；を具備したことを特徴とする。【選択図】図１
2008166151.tif 000002
【特許請求の範囲】
【請求項１】
所定の通信プロトコルに基づいてデータ伝送を行う汎用ネットワークを介して中央監視装置に接続される複数の照明コントローラと；
前記複数の照明コントローラに伝送線を介してそれぞれ接続される制御端末器と；
１つの操作単位として複数の照明コントローラにそれぞれ接続された制御端末器を１つにグループ化して割付可能な操作部を有し、前記汎用ネットワークを介して、前記操作部に割付けられたグループの制御端末器を制御する信号を前記複数の照明コントローラに送信するとともに、前記複数の照明コントローラから監視情報データを受信するスイッチ装置と；
を具備したことを特徴とする照明制御システム。
【請求項２】
前記スイッチ装置は、操作部に割付けられたグループに対応する前記複数の照明コントローラへ送信した信号と前記複数の照明コントローラから受信した監視情報データとが全て一致するときと少なくとも一つが相違するときとで異なる表示をするように操作部に対応して設けられた表示部と、を備えたことを特徴とする請求項１に記載された照明制御システム。
【請求項３】
前記スイッチ装置の表示部は、操作部に割付けられたグループに対応する前記複数の照明コントローラへ送信した信号と前記複数の照明コントローラから受信した監視情報データとが少なくとも一つが一致するときと全てが相違するときとで異なる表示をすることを特徴とする請求項２に記載された照明制御システム。
【請求項４】
前記スイッチ装置の表示部は、操作部に割付けられたグループに対応する前記複数の照明コントローラへ送信した信号と前記複数の照明コントローラから受信した監視情報データとが少なくとも一つが一致し、残りの少なくとも一つが相違したときと全てが相違する時のいずれの場合に全て一致したときと異なる表示をするかを切り替え可能としたことを特徴とする請求項２に記載された照明制御システム。
【請求項５】
前記スイッチ装置は、操作部に割付けられたグループに対応する前記複数の照明コントローラへ送信した信号と前記複数の照明コントローラから受信した監視情報データとが少なくとも一つが相違するときは制御対象の全ての照明コントローラへの信号の送信を停止することを特徴とする請求項１ないし４のいずれか一に記載された照明制御システム。
【請求項６】
前記スイッチ装置は、操作部に割付けられたグループに対応する前記複数の照明コントローラへ送信した信号と前記複数の照明コントローラから受信した監視情報データとが相違するときは相違する監視情報データを送信した照明コントローラへの制御信号の送信のみを停止することを特徴とする請求項１ないし４のいずれか一に記載された照明制御システム。
【請求項７】
前記スイッチ装置は、操作部に割付けられたグループに対応する前記複数の照明コントローラへ送信した信号と前記複数の照明コントローラから受信した監視情報データとが少なくとも一つが相違するときに全ての照明コントローラへの信号の送信を停止するか、相違する監視情報データを送信した照明コントローラへの制御信号の送信のみを停止するかを設定可能としたことを特徴とする請求項１ないし４のいずれか一に記載された照明制御システム。
【発明の詳細な説明】
【技術分野】
【０００１】
本発明は、屋内外の照明制御および監視を行う照明制御システムに関する。
【背景技術】
【０００２】
近年、汎用ネットワークを介して遠隔地の照明器具の制御や動作状態を監視するネットワーク対応形照明制御システムが提案されている。例えば、建物内の各照明器具の制御および状態表示を行う照明コントローラがイーサーネット（登録商標）に接続され、このイーサーネットに照明器具の制御および状態表示などを行う遠隔モニタ（監視端末装置）が接続された照明制御システムが提案されている（特許文献１参照。）。
【０００３】
特許文献１の照明制御システムは、複数の照明器具をまとめて点滅制御を行うグループ制御が可能である。
【特許文献１】特開２０００−３４０３７２号公報（第４頁、第１図）
【発明の開示】
【発明が解決しようとする課題】
【０００４】
近年においては、ビル管理システムの分散化が進み、照明制御システムにおいても、フロア毎またはエリア毎に照明コントローラを配置して、小規模システムの集合により制御を行うようになっている。このような場合、照明制御システムで割付けられた同一の照明コントローラに接続された制御端末のグループが制御の対象となるが、各フロアを統合した制御は中央監視装置からの操作にたよることになっている。また、スイッチ装置と各照明コントローラ内のグループ制御は可能であったが、複数の照明コントローラにそれぞれ接続された制御端末器を１つにグループ化して制御することは必要とされていなかった。
【０００５】
しかし、大形ホールや大規模店舗などに代表されるような吹き抜けによって各フロアが空間的に繋がっている施設の場合には、施設内のフロアに設置されているスイッチ装置を施設管理者が操作することにより各フロアに設けられた照明コントローラを一括して制御できるようにしたいという要求も高まってきている。
【０００６】
本発明は、上記課題に鑑みなされたもので、汎用ネットワークを介してスイッチ装置による複数の照明コントローラの一括制御を可能とし、さらにシステム内で発生した異常状態を確実に表示することができる照明制御システムを提供することを目的とする。
【課題を解決するための手段】
【０００７】
請求項１に記載の照明制御システムは、所定の通信プロトコルに基づいてデータ伝送を行う汎用ネットワークを介して中央監視装置に接続される複数の照明コントローラと；前記複数の照明コントローラに伝送線を介してそれぞれ接続される制御端末器と；１つの操作単位毎に複数の照明コントローラにそれぞれ接続された制御端末器を１つにグループ化して割付可能な操作部を有し、前記汎用ネットワークを介して、前記操作部に割付けられたグループの制御端末器を制御する信号を前記複数の照明コントローラに送信するとともに、前記複数の照明コントローラから監視情報データを受信するスイッチ装置と；を具備したことを特徴とする。
【０００８】
本発明の照明制御システムは、汎用ネットワークを介して中央制御装置が各照明コントローラに接続された制御端末器の監視および制御を行う。
【０００９】
汎用ネットワークは、照明システム、空調システム、防犯システムを相互に接続するたとえばイーサネット（登録商標）などの共通の伝送路で構成される。
【００１０】
通信プロトコルとしては、たとえばＢＡＣｎｅｔ、ＬＯＮ、ＴＣＰ／ＩＰなどを用いることができる。これらの通信プロトコルは、建物内のオープンシステム化の通信プロトコルとして有用である。
【００１１】
制御端末器は、蛍光ランプなどの照明負荷が接続され、中央監視装置またはスイッチ装置からの制御信号に基づいて照明負荷に対してその制御内容に応じた制御動作を行うように構成されている。
【００１２】
スイッチ装置は、汎用ネットワークに接続されており、複数の制御端末器からなるグループに対して１つの操作単位で操作される操作部によってグループ制御を行う。つまり、スイッチ装置は、操作部がＯＮ／ＯＦＦという操作単位で操作されると制御対象としてグループ化された御端末器が接続された各照明コントローラへ制御信号を送信する。スイッチ装置から送信される制御信号は直接照明コントローラが受信してもよいし、中央監視装置へ送信された後、中央監視装置が照明コントローラに対して制御信号を送信するように制御してもよい。
【００１３】
監視情報データとは、制御端末器のオン・オフ状態、照明コントローラまたは制御端末器の不具合状態、照明コントローラと制御端末器との通信状態、スイッチ装置と照明コントローラとの通信状態の情報を含む。
【００１４】
請求項２は、請求項１に記載された照明制御システムにおいて、操作部に割付けられたグループに対応する前記複数の照明コントローラへ送信した信号と前記複数の照明コントローラから受信した監視情報データとが全て一致するときと少なくとも一つが相違するときとで異なる表示をするように操作部に対応して設けられた表示部と、を備えたことを特徴とする。
【００１５】
スイッチ装置は、制御端末器を制御するために送信した信号と監視情報データとを比較して、正常に制御端末器が制御できたかを判断する。そして、送信した信号と監視情報データの内容が一致して正常に制御が行われたと判断したときには、例えば表示部を点灯させる。また、照明コントローラからの応答が無い場合や制御端末器の一部または全てが正常に制御できなかった場合など、送信した信号と監視情報データが相違する場合に例えば表示部を点滅させる。
【００１６】
これにより、制御端末器が正常に動作しているか表示部によって確認することができる。
【００１７】
請求項３は、請求項２記載の照明制御システムにおいて、前記スイッチ装置の表示部は、操作部に割付けられたグループに対応する前記複数の照明コントローラへ送信した信号と前記複数の照明コントローラから受信した監視情報データとが少なくとも一つが一致するときと全てが相違するときとで異なる表示をすることを特徴とする
【００１８】
本発明によれば、スイッチ装置の一つの操作部によって複数の照明コントローラを同時に制御する場合に、全て正常に制御が行われている場合、少なくとも一つの照明コントローラおよびそれに接続された制御端末器が正常に制御できている場合および全ての照明コントローラまたはそれに接続された制御端末器に不具合が発生している場合について表示部がそれぞれ異なる表示方法で表示する。これは、例えば全て正常に制御が行われている場合には点灯、少なくとも一つの照明コントローラおよびそれに接続された制御端末器が正常に制御できている場合には点滅、全ての照明コントローラに不具合が発生している場合にはこれよりも周期の短い点滅を行うように設定することによって表示が可能となる。
【００１９】
これにより、制御端末器が異常動作している場合でも、システム全体に障害があって全体が正常動作していないのか、照明コントローラ等の一部に異常があって正常動作していないのかをいち早く認識することができ、異常発生原因を早期に突き止め、早期に対応を図ることが可能となる。
【００２０】
請求項４は、請求項２に記載された照明制御システムにおいて、前記スイッチ装置の表示部は、操作部に割付けられたグループに対応する前記複数の照明コントローラへ送信した信号と前記複数の照明コントローラから受信した監視情報データとが少なくとも一つが一致し、残りの少なくとも一つが相違したときと全てが相違する時のいずれの場合に全て一致したときと異なる表示をするかを切り替え可能としたことを特徴とする。
【００２１】
請求項５は、請求項１ないし４のいずれか一に記載された照明制御システムにおいて、前記スイッチ装置は、操作部に割付けられたグループに対応する前記複数の照明コントローラへ送信した信号と前記複数の照明コントローラから受信した監視情報データとが少なくとも一つが相違するときは制御対象の全ての照明コントローラへの信号の送信を停止することを特徴とする。
【００２２】
本発明によれば、スイッチ装置の操作部に割付けられた照明コントローラの少なくとも一つの照明コントローラおよびそれに接続された制御端末器が正常に制御できていない場合、それ以降の操作部の操作を全て無効化し、照明コントローラへの信号の送信を停止する。
【００２３】
請求項６は、請求項１ないし４のいずれか一に記載の照明制御システムにおいて、前記スイッチ装置は、操作部に割付けられたグループに対応する前記複数の照明コントローラへ送信した信号と前記複数の照明コントローラから受信した監視情報データとが相違するときは相違する監視情報データを送信した照明コントローラへの制御信号の送信のみを停止することを特徴とする。
【００２４】
本発明によれば、スイッチ装置の操作部に割付けられた照明コントローラの少なくとも一つの照明コントローラおよびそれに接続された制御端末器が正常に制御できていない場合、正常に制御できていない照明コントローラへの信号の送信を停止し、それ以外の照明コントローラは通常通り制御可能とする。
【００２５】
請求項７は、請求項１ないし４のいずれか一に記載された照明制御システムにおいて、前記スイッチ装置は、操作部に割付けられたグループに対応する前記複数の照明コントローラへ送信した信号と前記複数の照明コントローラから受信した監視情報データとが少なくとも一つが相違するときに全ての照明コントローラへの信号の送信を停止するか、相違する監視情報データを送信した照明コントローラへの制御信号の送信のみを停止するかを設定可能としたことを特徴とする。
【発明の効果】
【００２６】
請求項１の発明によれば、スイッチ装置の１つの操作単位である操作部に複数の照明コントローラにそれぞれ接続された制御端末器を１つにグループ化して割付けているため、中央制御装置とは別にスイッチ装置の操作によって複数の照明コントローラを制御することができる。
【００２７】
請求項２の発明によれば照明コントローラおよび制御端末器の不具合を照明制御システムの管理者に容易に知らせることができる。
【００２８】
請求項３の発明によれば、スイッチ装置の一つの操作部によって複数の照明コントローラを同時に制御する場合に、全ての照明コントローラが正常に制御できていない場合と少なくとも一つは正常に制御できている場合を区別して表示することができる。
【００２９】
請求項４の発明によれば、スイッチ装置の一つの操作部によって複数の照明コントローラを同時に制御する場合に、表示部の表示を全ての照明コントローラが正常に制御できていない場合に行うか、少なくとも一つは正常に制御できているときに行うかを設定可能とすることによって、不具合の状態を容易に認識できる。
【００３０】
請求項５の発明によれば、割付けられた照明コントローラの少なくとも一つが正常に制御できていない場合に、スイッチ装置の操作を無効化することによって、管理者に確実に不具合を通知することがきる。
【００３１】
請求項６の発明によれば、正常に制御できていない照明コントローラへの信号の送信のみを停止することができるため、その他の照明コントローラについては通常通り制御することができる。
【００３２】
請求項７の発明によれば、照明コントローラの使用状況に応じて不具合発生時の対応方法を選択することができる。
【発明を実施するための最良の形態】
【００３３】
以下、本発明の第１の実施形態について図面を参照して説明する。まず、本発明の第１の実施形態について説明する。
【００３４】
図１〜図３は、本発明の実施の形態を示し、図１は照明制御システムの構成ブロック図、図２はスイッチ装置の正面図、図３はスイッチ装置の構成ブロック図である。
【００３５】
図１において、照明制御システム１は、汎用ネットワーク２に接続された中央監視装置３、スイッチ装置４、照明コントローラ５a、５bおよび照明コントローラ５a、５bに伝送線６を介して接続された複数の制御端末器７a…７a、７b…７bを有して構成されている。
【００３６】
汎用ネットワーク２は、例えばイーサネット（登録商標）により構成されており、BACnetを用いてデータ伝送が行われる。
【００３７】
伝送線６は、複極（±２４Ｖ）の時分割多重信号で示されたデータを送受信する伝送線であり、ローカルネットワーク（専用ネットワーク）を形成している。
【００３８】
各照明コントローラ５a、５bは、例えば建物の階層毎に一台設置されて、伝送線６、６を介して接続された制御端末器７a…７a、７b…７bをそれぞれ監視、制御している。
【００３９】
ここで、各照明コントローラ５a、５bは制御端末器７a…７a、７b…７bにアドレスを割付けておくことによって、例えばグループ１−１、グループ２−１などのグループ制御を行うことができる。
【００４０】
また、各照明コントローラ５a、５bは、汎用ネットワーク２を介して接続された中央監視装置３によって全体制御することができ、この場合には中央監視装置３から送信された制御信号に基づき制御端末器７a…７a、７b…７bを監視、制御する。
【００４１】
制御端末器７a…７a、７b…７bは、制御信号に応じて照明用ランプ（照明負荷）８…８を点消灯制御および調光制御するように構成されている。
【００４２】
また、伝送線６には、例えば、オン・オフ操作に応じて出力信号を生成する信号出力機能を備えた壁スイッチ（図示しない）、光センサの検出信号に応じて出力信号を生成する信号出力機能を備えたセンサ入力用端末器（図示しない）等が接続されていてもよい。
【００４３】
スイッチ装置４は、中央監視装置３と同様に照明コントローラ５a、５bの割付けを行うことができる。
【００４４】
また、スイッチ装置４は図２に示すように、複数の操作装置４１…４１からなり、各操作装置４１にはＯＮ／ＯＦＦという１つの操作単位で操作を行う操作部４１aおよび表示部４１bが一組ずつ配設されている。
【００４５】
図３に示すように、スイッチ装置４は汎用ネットワーク６との通信制御を行うための伝送制御部４２、伝送制御部４２と信号の送受信を行うとともに操作部４１aおよび表示部４１bと接続された入出力制御部４３、入出力制御部４３に接続された記憶部４４からなる。
【００４６】
記憶部４４には、一つの操作部４１aに対応してグルーピング化された制御端末器７a…７a、７b…７bの割付け情報およびオン・オフ情報が格納されている。
【００４７】
次に、スイッチ装置４による制御端末器７a…７a、７b…７bの制御方法について説明する。
【００４８】
例えば、図１において照明コントローラ５a内でグルーピング化されたグループ１−１と照明コントローラ５b内でグルーピング化されたグループ２−１とを一つの操作部４１aで同時に制御する場合について考える。記憶部４４は制御対象となる照明コントローラ５a、５bのアドレス情報および照明コントローラ５a、５bが認識可能な制御端末器のグループ情報と操作部４１aとを対応付けて記憶している。このとき、スイッチ装置４側は操作部４１aが制御する制御端末器７a…７a、７b…７bを個々に認識しておく必要はない。また、例えば操作部４１aに対応した制御対象を数字の羅列で記憶させておくことによって、記憶部４４に記憶される情報を少なくすることができる。
【００４９】
操作部４１aを押圧してオンにすると、まず操作部４１aから入出力制御部４３に信号が送信される。入出力制御部４３は記憶部４４から押圧された操作部４１aに対応した制御対象の情報を読み出すとともに、この情報を含む制御信号を伝送制御部４２から汎用ネットワークに一斉に送信する。この制御信号を受信した各照明コントローラ５a、５bは制御信号に自身のアドレスがあれば、その制御信号に基づきそれぞれに接続された制御端末器７a…７a、７b…７bを制御する。各制御端末器７a…７a、７b…７bは正常に照明用ランプを点灯させる事ができると、照明コントローラ５a、５bへ応答信号を返信する。照明コントローラ５a、５bはそれぞれに接続された各制御端末器７a…７a、７b…７bからの応答信号に基づき各グループの状態を把握する。そして、照明コントローラ５a、５bはスイッチ装置４に対して各グループ１−１、２−１の状態情報を送信する。
【００５０】
ここで、照明コントローラ５a、５bはスイッチ装置４から送信された信号に対して、グループが正常に制御できたかを監視し、その監視情報データのみをスイッチ装置４に送信してもよい。
【００５１】
照明コントローラ５a、５bから各グループ１−１、２−１の監視情報データを受信したスイッチ装置４は、記憶部４４に各グループ１−１、２−１の状態を保持するとともに、表示部４１bによって、現在の制御対象の状態を点灯または点滅によって表示する。
【００５２】
本実施形態では、各照明コントローラ５a、５bが正常に制御されて、対象となる制御端末器７aまたは７bが全てオンになっていれば表示部４１bが点灯する。正常に制御されている場合には、さらに操作部４１aを押圧することによって制御対象のグループ１−１、２−１が消灯するとともに、表示部４１bも消灯する。これに対し、スイッチ装置４から送信された制御信号に対して、グループ１−１またはグループ２−１のいずれか一方が正常に制御できていない場合には表示部４１bが点滅する。
【００５３】
ここで、スイッチ装置４は照明コントローラ５a、５bから応答が無い場合にも表示部４１ｂを点滅させる。
【００５４】
つまり、スイッチ装置４は監視情報データを受信することによってとして、照明コントローラ５a、５bの応答の有無、およびスイッチ装置４から送信された制御信号と各グループの状態との対応関係を監視している。
【００５５】
また、表示部４１bの表示は全ての照明コントローラ５a、５bの監視情報データに不具合がある場合にのみ点滅させるようにしてもよい。
【００５６】
さらに、照明コントローラ５a、５bのうちいずれか一方の監視情報データにのみ不具合があれば点滅させるか、全ての照明コントローラ５a、５bの監視情報データに不具合が有る場合にのみ点滅させるかを選択可能に構成しておいてもよい。
【００５７】
この設定は、例えばパソコンなどの外部設定器をスイッチ装置４に接続することによって行うことができる。
【００５８】
さらに、照明コントローラ５a、５bのうちいずれか一方の監視情報データにのみ不具合がある場合の表示と、全ての照明コントローラ５a、５bの監視情報データに不具合が有る場合の表示とで表示方法を変えてもよい。
【００５９】
例えば、両者の点滅の周期を変えておいてもよいし、光源を２つ用意しておき異なる発光色で発光させるようにしておいてもよい。
【００６０】
次に、監視情報データに不具合があると判断したときのスイッチ装置４の動作について説明する。
【００６１】
本実施形態では、照明コントローラ５a、５bのうちいずれか一方の監視情報データに不具合がある場合に、表示部４１bを点滅させるとともにそれ以降の操作部４１aの操作による信号の送信を停止して操作部４１aの操作を無効化する。
【００６２】
これによって、照明制御システムの管理者は不具合が発生していることを認識し復旧作業を行うことができる。
【００６３】
また、照明コントローラ５a、５bのうちいずれか一方の監視情報データにのみ不具合がある場合には、不具合が発生している照明コントローラ５aまたは５bのみに対して、照明負荷８の動作状態を保持して操作部４１aによる信号の送信を停止するようにしてもよい。ただし、この場合には他方の照明コントローラ５aまたは５bは制御可能となる。つまり、この状態で操作部４１aをさらに押圧すると正常に制御されている照明コントローラに接続された制御対象の制御端末器を消灯させることができる。
【００６４】
さらに、いずれか一方の監視情報データに不具合がある場合に、全ての照明コントローラ５a、５bに対するそれ以降の操作部４１aによる信号の送信を停止するか、不具合が発生している照明コントローラ５aまたは５bのみに対してそれ以降の操作部４１aによる信号の送信を停止するかを設定可能としてもよい。
【００６５】
なお、この設定は、例えばパソコンなどの外部設定器をスイッチ装置４に接続することによって行うことができる。
【００６６】
上記実施形態では、照明コントローラが２つの場合について説明したが照明コントローラが３つ以上の場合についても同様の制御を行うことができる。
【００６７】
また、スイッチ装置４の一つの操作部４１aによって制御可能なグループは、３つ以上であってもよいし、一つの照明コントローラ内に複数の制御対象のグループを含んでいてもよい。
【００６８】
また、スイッチ装置は、記憶部４４がなくてもよく、この場合にはまず中央監視装置へ信号を送信し、中央監視装置が照明コントローラに対して制御信号を送信するように制御してもよい。
【図面の簡単な説明】
【００６９】
【図１】本発明の実施形態を示す照明制御システムの構成ブロック図。
【図２】本発明の実施形態のスイッチ装置の正面図。
【図３】本発明の実施形態のスイッチ装置の構成ブロック図。
【符号の説明】
【００７０】
１…照明制御システム
３…中央監視装置
４…スイッチ装置
４１a…操作部
４１b…表示部
５a、５b…照明コントローラ
７a、７b…制御端末器
【図１】
2008166151.tif 000003
【図２】
2008166151.tif 000004
【図３】
2008166151.tif 000005